(57)【要約】【課題】操作杆を掴んだ手を離さずに掴んだ手で操作できるレバー式開閉弁を提供する。【解決手段】レバー式開閉弁を、ハウジング２、レバー３、弁体４、ガイドスリーブ５、弁座６、閉弁用スプリング７を備えるものにした。また、入力軸４ａは、ガイドスリーブ５の軸心部に液密、かつ、スライド自在に挿通され、その入力軸４ａが回動させたレバー３によって突き上げられて弁体４と弁座６とによって構成された弁部が開かれ、それにより、中継流路５ｃ経由で液体導入口２ｂと液体送出口２ｃが連通するように構成され、さらにハウジング２の上部に、グリップ兼用の連結具８がレバー３に沿うように設けられているものにした。【選択図】図１
2018135905.tif 000002
【特許請求の範囲】
【請求項１】
下向き開口のボア穴（２ａ）、そのボア穴に連通した液体導入口（２ｂ）及び液体送出口（２ｃ）を有するハウジング（２）と、このハウジングの先端側の下部に水平配置の支軸（１０）を用いて先端部を軸支したレバー（３）と、入力軸（４ａ）を備えた弁体（４）と、前記ボア穴（２ａ）に組み込まれるガイドスリーブ（５）と、そのガイドスリーブに保持される弁座（６）と、前記弁体（４）を前記弁座（６）に押し当てる閉弁用のスプリング（７）とを具備し、
前記ガイドスリーブ（５）は、前記液体導入口（２ｂ）に通じた部屋（Ｃ１）と前記液体送出口（２ｃ）に通じた部屋（Ｃ２）との間において前記ボア穴（２ａ）に液密に挿入される隔壁部（５ａ）と、前記ボア穴（２ａ）の開口部に液密に固定されるボア穴（２ａ）の開口閉鎖部材を兼用したスライドガイド部（５ｂ）と、前記液体導入口（２ｂ）と液体送出口（２ｃ）間に配置される中継流路（５ｃ）とを有し、
前記入力軸（４ａ）が、前記ガイドスリーブ（５）の軸心部に液密、かつ、スライド自在に挿通され、その入力軸（４ａ）のハウジング外部への突出部が前記支軸（１０）を支点にして回動させた前記レバー（３）によって突き上げられて前記弁体（４）と弁座（６）とによって構成された弁部が開かれ、それにより、前記中継流路（５ｃ）経由で前記液体導入口（２ｂ）と液体送出口（２ｃ）が連通するように構成され、
さらに、前記ハウジング（２）の上部に、パイプで構成された操作杆（２１）に外嵌して装着されるグリップ兼用の連結具（８）が前記レバー（３）に沿うように設けられているレバー式開閉弁。
【請求項２】
開弁位置に回動させた前記レバー（３）を開弁位置に保持するロック機構（９）を備えた請求項１に記載のレバー式開閉弁。
【請求項３】
作業者が両手で掴んで操作する操作杆（２１）と、噴霧ノズル（２２ｂ）を有する噴管（２２）と、前記噴管（２２）に接続した散布液供給用のホース（１４）と、そのホースの内部流路を開放、遮断する開閉弁を有し、前記噴管（２２）が前記操作杆（２１）の先端に延長状態に接続された散布杆であって、
前記開閉弁として請求項１又は請求項２に記載のレバー式開閉弁（１）を有し、
前記連結具（８）が前記操作杆（２１）の後端近くに外嵌、装着されて前記レバー式開閉弁（１）が操作杆（２１）の下部に垂下状態に取り付けられ、そのレバー式開閉弁（１）のハウジングの液体送出口（２ｃ）に前記ホース（１４）の後端が接続された散布杆。
【発明の詳細な説明】
【技術分野】
【０００１】
この発明は、軸支されたレバーを手で掴んで流体通路を閉じた弁部を開かせるレバー式開閉弁、特に、作業者が両手で抱えて操作する杆に取り付けて杆を掴んだ手で操作することを可能にしたレバー式開閉弁と、それを用いた液体散布用の散布杆に関する。
【背景技術】
【０００２】
軸支されたレバーを手で掴んで開弁させるレバー式開閉弁は、ハンドガンタイプの液体噴射装置に利用されている。そのレバー式開閉弁を備えるハンドガンタイプの液体噴射装置の従来例として、例えば、本出願人が下記特許文献１で提案しているものがある。
【０００３】
また、液体を散布する散布杆（噴霧杆と称されている）の従来例として、例えば、下記特許文献２に示されるものがある。
【０００４】
特許文献１の液体噴射装置に採用されているレバー式開閉弁は、液体噴射装置の本体に軸支されたレバーを引くと、開閉弁の弁体が押し動かされて弁座から離反し、弁部が開く。また、レバーを復帰させると、弁体がスプリングの力で弁座に押し当てられ、弁部が閉じる。
【０００５】
特許文献２の散布杆は、作業者が両手で掴んで操作する操作杆（把手管）の先端に、噴霧ノズル管を延長状態に接続したものである。噴霧ノズル管は、薬液導管に多数の噴霧ノズルを設けた管である。
【０００６】
この種の散布杆は、全長が長く、重量もある。そのために、片手での操作は難しく、操作杆を両手で掴んで操作する。
【先行技術文献】
【特許文献】
【０００７】
【特許文献１】特開２０１６−１６８５３１号公報
【特許文献２】実開平１−１３７７５８号公報
【発明の概要】
【発明が解決しようとする課題】
【０００８】
特許文献２に示された散布杆は、散布液を操作杆（把手管）の内部に通して噴管（噴霧ノズル管）に流すようにしているが、散布液を、ホースを経由して操作杆の外部から噴管に送り込む散布杆も存在する。
【０００９】
散布液を操作杆の内部に通す散布杆については、操作杆の根元部に内部の流路を開閉するコック式の開閉弁を組み込むことができる。
【００１０】
これに対し、散布液をホース経由で操作杆の外部から噴管に送り込む散布杆では、ホースの長手途中に開閉弁を組み込む必要がある。
【００１１】
特許文献１に示されたレバー式の開閉弁は、ハンドガン用に設計されたものであって、
ホースの長手途中に配置する開閉弁としては使い辛い。そこで、ホースの長手途中に組み込む開閉弁は、レバーを揺動させて弁体を回転させるコック式のものが多用されている。
【００１２】
ところが、散布杆から独立させたそのような開閉弁を操作するには、開閉弁を操作する側の手を操作杆から離す必要があり、そのために、散布杆の操作に支障を来たすなどの不具合があった。
【００１３】
この発明は、操作杆を掴んだ手を離さずに掴んだ手で操作できるレバー式開閉弁とそれを用いた操作性に優れる散布杆を提供することを課題としている。
【課題を解決するための手段】
【００１４】
上記の課題を解決するため、この発明においては、下向き開口のボア穴、そのボア穴に連通した液体導入口及び液体送出口を有するハウジングと、このハウジングの先端側の下部に水平配置の支軸を用いて先端部を軸支したレバーと、入力軸を備えた弁体と、前記ボア穴に組み込まれるガイドスリーブと、そのガイドスリーブに保持される弁座と、前記弁体を前記弁座に押し当てる閉弁用スプリングとを具備し、
前記ガイドスリーブは、前記液体導入口に通じた部屋と前記液体送出口に通じた部屋との間において前記ボア穴に液密に挿入される隔壁部と、前記ボア穴の開口部に液密に固定されるボア穴の開口閉鎖部材を兼用したスライドガイド部と、前記液体導入口と液体送出口間に配置される中継流路とを有し、
前記入力軸が、前記ガイドスリーブの軸心部に液密、かつ、スライド自在に挿通され、その入力軸のハウジング外部への突出部が前記支軸を支点にして回動させた前記レバーによって突き上げられて前記弁体と前記弁座とによって構成された弁部が開かれ、それにより、前記中継流路経由で前記液体導入口と液体送出口が連通するように構成され、
さらに、前記ハウジングの上部に、パイプで構成された操作杆に外嵌して装着されるグリップ兼用の連結具が前記レバーに沿うように設けられているレバー式開閉弁を提供する。
【００１５】
このレバー式開閉弁は、開弁位置に回動させた前記レバーを開弁位置に保持するロック機構を備えたものが好ましい。そのロック機構は、前記特許文献１に開示されたようなものでよい。
【００１６】
この発明は、作業者が両手で掴んで操作する操作杆と、噴霧ノズルを有する噴管と、前記噴管に接続した散布液供給用のホースと、そのホースの内部流路を開放、遮断する開閉弁を有し、前記噴管が前記操作杆の先端に延長状態に接続された散布杆であって、
前記開閉弁として前記この発明のレバー式開閉弁を有し、
前記連結具が前記操作杆の後端近くに外嵌、装着されて前記レバー式開閉弁が操作杆の下部に垂下して取り付けられ、そのレバー式開閉弁のハウジングの液体送出口に前記ホースの後端が接続された散布杆も併せて提供する。
【発明の効果】
【００１７】
この発明のレバー式開閉弁は、ハウジングの上部に、操作杆に対して外嵌、固定されるグリップ兼用の連結具を備えており、その連結具を掴んだ手でレバーを操作することができる。
【００１８】
そのため、このレバー式開閉弁を用いた散布杆は、操作杆を掴んだ手を離さずに掴んだ手で開閉弁の開閉操作を行なうことができ、散布杆の操作に支障を来たすことがなくなって、使い勝手が向上し、薬液などの安定した散布を行なうことができる。
【図面の簡単な説明】
【００１９】
【図１】この発明のレバー式開閉弁の一例を閉弁状態にして示す断面図である。
【図２】図１のＡ−Ａ線に沿った断面図である。
【図３】図１のレバー式開閉弁を開弁状態にして示す断面図である。
【図４】図１のレバー式開閉弁の側面図である。
【図５】図１のレバー式開閉弁の図４とは反対側の側面図である。
【図６】この発明の散布杆の一例を示す側面図である。
【図７】図６の散布杆の全体を示す斜視図である。
【図８】図６の散布杆のレバー式開閉弁の取り付け部の詳細を示す斜視図である。
【発明を実施するための形態】
【００２０】
以下、この発明のレバー式開閉弁とそれを用いた散布杆の実施の形態を、添付図面の図１〜図８に基づいて説明する。
【００２１】
図１〜図３に示すように、レバー式開閉弁（以下では単に開閉弁と言う）１は、ハウジング２、レバー３、弁体４、ガイドスリーブ５、弁座６、スプリング７、連結具８、ロック機構９を組み合わせて構成されている。
【００２２】
ハウジング２は、下向き開口のボア穴２ａと、そのボア穴に連通した液体導入口２ｂ及び液体送出口２ｃと、管継手を取り付けるソケット部２ｄ、２ｅを有している。
【００２３】
ソケット部２ｄには、管継手１１が、ソケット部２ｅには管継手１２がそれぞれ液密に取り付けられている。
【００２４】
管継手１１には、ポンプ（図示せず）に汲み上げられた散布液を開閉弁１に送り込むホース１３が接続される。また、管継手１２には、開閉弁１を通過した散布液を噴管２２（図６、図７参照）に流すホース１４が接続される。
【００２５】
レバー３は、先端部がハウジング２の先端側の下部に水平配置の支軸１０を用いて回動可能に軸支されている。また、弁体４は、一体に形成された入力軸４ａを備えている。
【００２６】
レバー３は、図１の位置からの図中時計回りの方向への回動が、図示しない過剰復帰規制部によって阻止されており、図１の位置からは、反時計周りの方向へのみ動くことができる。
【００２７】
ガイドスリーブ５は、ハウジング２のボア穴２ａに組み込まれる部材であって、液体導入口２ｂに通じた部屋Ｃ１と液体送出口２ｃに通じた部屋Ｃ２との間においてボア穴２ａに液密に挿入される隔壁部５ａと、ボア穴２ａの開口部に液密に固定されるスライドガイド部５ｂと、液体導入口２ｂと液体送出口２ｃ間に配置される中継流路５ｃとを有している。
【００２８】
スライドガイド部５ｂは、弁体４の移動をガイドする部材であって、ボア穴の開口閉鎖部材を兼用している。
【００２９】
このスライドガイド部５ｂには、スリーブ５ｄが液密に取り付けられており、そのスリーブ５ｄに弁体４の入力軸４ａがスライド自在に挿通されている。その入力軸４ａのハウジング２から外部に突出した部位の突端（下端）は、レバー３の長手途中に設けられた入力軸受け面３ａに対面している。
【００３０】
弁座６は、中継流路５ｃの入口部に配置されてガイドスリーブ５の隔壁部５ａに保持されている。その弁座６に対して弁体４がスプリング７の力で押し当てられて弁体４と弁座６とで構成される弁部が閉じられるようになっている。
【００３１】
連結具８は、ハウジング２の上部に設けられている。レバー３に沿う向きにしてハウジング２に連結、固定されたその連結具８は、半割スリーブ（２個の半円筒部材を対向させて連結したスリーブ）で構成されたグリップ兼用の部材であり、パイプで構成された操作杆２１に外嵌して装着される。
【００３２】
その連結具８の操作杆２１に対する装着により、開閉弁１が操作杆に取り付けられる。連結具８は、先端下部にＴスロット８ａを有している。そのＴスロット８ａに、ハウジング２の上部に設けた断面Ｔ字状のジョイント部２ｆが抜き差し可能に差し込まれてハウジング２が連結具８から取り外し可能になっている。この構造は、操作杆２１に対する連結具８とハウジング２の装着が容易に行なえる利点があるが、ハウジング２と連結具８は、一体に形成されていてもよい。
【００３３】
なお、図１〜図５に示したホース１３、１４は、開閉弁１の構成要素ではない。
【００３４】
以上の通りに構成された例示のレバー式開閉弁１は、連結具８によって構成された操作杆２１のグリップを片方の手で掴み、そのグリップを掴んだ手でレバー３を操作する。
【００３５】
レバー３は、入力部（後部側）を指を掛けて上向きに引き動かすと、支軸１０を支点にして図１において反時計回りの方向に回動する。その回動により、レバー３の入力軸受け面３ａが変位してその入力軸受け面３ａにより入力軸４ａが突き上げられ、弁体４が弁座６から離反して弁体４と弁座６とで構成される弁部が開く（開弁する）。
【００３６】
また、レバー３の握りを解除すると、スプリング７の力で弁体が押し戻されて弁座６に接し、前記弁部が閉じる（閉弁する）。
【００３７】
例示の開閉弁１は、レバー３の入力部３ｂを引き上げるとロック機構９が作動して開弁状態の保持がなされる。
【００３８】
ロック機構９は、前掲の特許文献１に示されたものであって、ハウジング２に設けた係止用凹部９ａと、レバー３に設けた係止爪９ｂと、この係止爪９ｂをロック方向に付勢するばね９ｃと、このばねの力に抗して係止爪９ｂを係止用凹部９ａから外すロック解除カム９ｄの各要素によって構成されている。
【００３９】
ロック解除カム９ｄは、レバー３にピンを用いてピボット結合させており、レバー３を操作した手の人差し指などで回動させる。その回動操作により、ロック解除カム９ｄに接した係止爪９ｂがばね９ｃの力に抗する方向に押し動かされて係止用凹部９ａに対する係止爪９ｂの係止が解ける。
【００４０】
ロック機構９は、図示の構造のものに限定されない。また、このロック機構９は、好ましい要素であるが、必須ではない。
【００４１】
次に、図６〜図８に基づいてこの発明の散布杆の実施の形態を説明する。
【００４２】
図６、図７に示すように、例示の散布杆２０は、操作杆２１と、噴管２２と、既述の開閉弁１と、これも既述のホース１４を組み合わせて構成されている。
【００４３】
操作杆２１は、パイプで構成されたものであって、外周にグリップ２１ｂを有している。そのグリップ２１ｂと操作杆２１の任意箇所を作業者が手で掴んで散布杆２０を操作する。
【００４４】
噴管２２は、散布液を導入する導管２２ａと、その導管に取り付けた複数の噴霧ノズル２２ｂを備えた管であって、操作杆２１の先端に延長状態に接続されている。
【００４５】
開閉弁１は、図１〜図５で述べたものであって、グリップ２１ｂを兼用した連結具８が操作杆２１の根元（後端）付近に外嵌、装着されて操作杆２１に垂下状態に取り付けられている。
【００４６】
ホース１４は、ホースカバー２１ａを取り付けた位置から先端部が操作杆２１内に引き込まれ、操作杆２１の先端側の内部において導管２２ａの後端に接続されている。また、そのホース１４の後端は、開閉弁のハウジング２に取り付けられた管継手１２を介して開閉弁１の液体送出口２ｃ（図１参照）に接続されている。
【００４７】
そのホース１４は、操作杆２１にホースホルダ１５を取り付けて長手途中をそのホースホルダ１５で保持すると垂れ下がりを防止することができる。
【００４８】
開閉弁１のハウジング２に取り付けられた管継手１１（図２参照）には、ホース１３が接続され、そのホース１３と液体導入口２ｂを経由してポンプに汲み上げられた散布液が開閉弁１に送り込まれる。
【００４９】
このように構成された散布杆２０は、薬液などの散布を行なう作業者が、操作杆２１に設けられたグリップ２１ｂを例えば左手で、連結具８によって構成されたグリップ２１ｂ（グリップ２１ｂ兼用の連結具８）を右手でそれぞれ掴み、開閉弁１を操作して開弁させ、この状態で杆の全体を左右に振るなどして液体の散布を行なう。
【００５０】
この際の、散布の実施、停止は、グリップ２１ｂ兼用の連結具８を掴んだ手でその連結具８を掴んだままレバー３やロック解除カムを操作して切り替える。
【００５１】
なお、操作杆２１は、外パイプとその外パイプにスライド自在に挿入する内パイプを組み合わせた、長さ調整の可能な伸縮式の杆であってもよい。
【符号の説明】
【００５２】
１          レバー式開閉弁
２          ハウジング
２ａ        ボア穴
２ｂ        液体導入口
２ｃ        液体送出口
２ｄ，２ｅ  ソケット部
２ｆ  ジョイント部
Ｃ１        液体導入口に通じた部屋
Ｃ２        液体送出口に通じた部屋
３          レバー
３ａ        入力軸受け面
３ｂ        入力部
４          弁体
４ａ        入力軸
５          ガイドスリーブ
５ａ        隔壁部
５ｂ        スライドガイド部
５ｃ        中継流路
５ｄ        スリーブ
６          弁座
７          スプリング
８          連結具
８ａ        Ｔスロット
９          ロック機構
９ａ        係止用凹部
９ｂ        係止爪
９ｃ        ばね
９ｄ        ロック解除カム
１０        支軸
１１、１２  管継手
１３、１４  ホース
１５        ホースホルダ
２０        散布杆
２１        操作杆
２１ａ      ホースカバー
２１ｂ      グリップ
２２        噴管
２２ａ      導管
２２ｂ      噴霧ノズル
【図１】
2018135905.tif 000003
【図２】
2018135905.tif 000004
【図３】
2018135905.tif 000005
【図４】
2018135905.tif 000006
【図５】
2018135905.tif 000007
【図６】
2018135905.tif 000008
【図７】
2018135905.tif 000009
【図８】
2018135905.tif 000010